【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
以下を含むか、又は以下を含む混合物から得られる燃料組成物：
（a）式（Ib）又は（Ic）のC5イソプレノイド化合物：
【化１】
2009538373.tif 000001
式中、Zは、O-R、O-C（=O）R、0-PO（OR）2、0-SO2-OR、PO（OR）2又はSO2-ORであり；及びRは、H、アルキル、シクロアルキル、アリール、アルカリル又はアラルキルであり；並びに、
（b）燃料添加物。
【請求項２】
前記C5イソプレノイド化合物の量が、燃料組成物の総重量又は容量に基づいて、重量又は容量の約1%〜約95%である、請求項1記載の燃料組成物。
【請求項３】
式（Ib）又は（Ic）のZがOHである、請求項1又は2記載の燃料組成物。
【請求項４】
前記燃料組成物が実質的に第二のアルコールを含まず、かつ前記第二のアルコールが3-メチル-3-ブテン-1-オール、3-メチル-2-ブテン-1-オール又はこれらの組み合わせではない、請求項3記載の燃料組成物。
【請求項５】
（a）燃料組成物の総重量に基づいて、重量の少なくとも35％の量のイソアミルアルコール；及び、
（b）燃料添加物、
を含むか、又は含む混合物から得られる燃料組成物であって、
該燃料組成物は、450℃未満の自然発火温度を有する第二のアルコール又は有機化合物を実質的に含まず、該第二のアルコールは、イソアミルアルコールではなく、かつ該有機化合物は、（1）1つ以上の酸素原子を含むが、窒素原子を含まない化合物；又は（2）1つ以上のニトラート基及び1つ以上のエーテル結合を含む化合物；又は（3）アゾ化合物、テトラジン、ニトロソ化合物、ニトロ化合物、ニトレート化合物及びハイポニトライトからなる群から選択される窒素含有有機化合物である、前記燃料組成物。
【請求項６】
前記燃料組成物が、芳香族化合物を実質的に含まない、あるいは、アルキルアミン、脂肪酸エステル、又は脂肪酸塩を実質的に含まない、請求項5記載の燃料組成物。
【請求項７】
前記第二のアルコールが、メタノール、エタノール、n-プロパノール、イソ-プロパノール、n-ブタノール、イソ-ブタノール、tert-ブタノール、n-ペンタノール、sec-ペンタノール、tert-ペンタノール、n-ヘキサノール、イソ-ヘキサノール、sec-ヘキサノール、tert-ヘキサノール、ヘプタノール、オクタノール、ノナノール、デカノール又はこれらの組み合わせである、請求項4又は5記載の燃料組成物。
【請求項８】
前記有機化合物がエーテル、ペルオキシド、ヒドロペルオキシド、アルデヒド、アシル化合物、環状エーテル、エステル、2-エトキシエチルニトラート、2-ブトキシエチルニトラート、2'-ブトキシ-2-エトキシエチルニトラート、2,2-ジエトキシエチルニトラート、1,3-ジオキサン-5-ニトラート、ニトロメタン、ジエチレングリコールジニトラート、トリエチレングリコールジニトラート又は400の平均分子量のポリエチレングリコールのジニトラートである、請求項5記載の燃料組成物。
【請求項９】
前記燃料組成物の総重量又は容量に基づいて、重量又は容量の約1%〜約95%の量の石油系燃料を更に含み、任意に、該石油系燃料がガソリンであり、任意に、前記C5イソプレノイド化合物が式（Ib）であり、かつZがOHであり、かつ前記C5イソプレノイド化合物が燃料組成物の総容量に基づいて、容量の約1%〜約12.5％の量で存在する、請求項1又は5記載の燃料組成物。
【請求項１０】
前記燃料添加物が酸素化物、抗酸化剤、熱安定性向上剤、セタン向上剤、安定剤、寒冷流動性向上剤、助燃剤、消泡剤、抗くもり添加物、腐食抑制剤、潤滑性向上剤、着氷阻害剤、噴霧器清浄添加物、煙抑制剤、抵抗減少添加物、金属不活性化剤、分散剤、洗浄剤、解乳化剤、色素、マーカー、静電気消散剤、殺生物剤及びこれらの組み合わせからなる群から選択される、請求項1又は5記載の燃料組成物。
【請求項１１】
前記燃料添加物の量が、前記燃料組成物の総重量又は容量に基づいて、重量又は容量の約0.1%〜約20％である、請求項1又は5記載の燃料組成物。
【請求項１２】
単糖から燃料組成物を製造する方法であって：
（a）ZがOHである式（Ib）又は（Ic）のC5イソプレノイド化合物：
【化２】
2009538373.tif 000002
を製造することができる細胞を、C5イソプレノイド化合物を製造するために適した条件下で、単糖と接触させる工程；及び、
（b）該C5イソプレノイド化合物を1つ以上の燃料成分又は燃料添加物と混合して燃料組成物を製造する工程、
を含む、前記方法。
【請求項１３】
ZがOHである式（Ib）又は（Ic）の前記C5イソプレノイドを、アルキル化剤、アシル化剤、リン酸化剤、ホスホン酸化剤、硫酸化剤又はスルホン化剤と反応させて、ZがO-R、O-C（=O）R、0-PO（OR）2、O-SO2-OR、PO（OR）2若しくはSO2-ORであり；かつRがH、アルキル、シクロアルキル、アリール、アルカリル若しくはアラルキルである式（Ib）又は（Ic）のC5イソプレノイドを形成する工程を更に含む、請求項12記載の方法。
【請求項１４】
（a）ZがOHである式（Ib）又は（Ic）のC5イソプレノイド化合物：
【化３】
2009538373.tif 000003
を製造することができる細胞を、式（Ib）又は（Ic）のC5イソプレノイド化合物を製造するために適した条件下で、単糖と接触させる工程；
（b）式（Ib）又は（Ic）のC5イソプレノイドを水素付加してイソアミルアルコールを形成する工程；及び、
（c）該イソアミルアルコールを1つ以上の燃料成分又は燃料添加物と混合して燃料組成物を製造する工程、
を含む、単糖から燃料組成物を製造する方法であって、
前記イソアミルアルコールをアルキル化剤、アシル化剤、リン酸化剤、ホスホン酸化剤、硫酸化剤又はスルホン化剤と反応させて、ZがOR、O-C（=O）R、0-PO（OR）2、0-SO2-OR、PO（OR）2又はSO2-ORであり；かつRがアルキル、シクロアルキル、アリール、アルカリル又はアラルキルである式（Ia）
【化４】
2009538373.tif 000004
のC5イソプレノイドを形成する工程を任意に更に含む、前記方法。
【請求項１５】
内燃機関；該内燃機関に接続する燃料タンク；及び該燃料タンク内の請求項1〜11のいずれか記載の燃料組成物を含む乗物であって、該燃料組成物は、該内燃機関に動力を供給するために使用される、前記乗物。
【請求項１６】
前記内燃機関がガソリン機関である、請求項15記載の乗物。
【請求項１７】
エンジンにおいて請求項1〜11のいずれか記載の燃料を燃焼させる工程を含む、エンジンを駆動する方法であって、任意に、前記エンジンがガソリン機関である、前記方法。
【請求項１８】
請求項12〜14のいずれか記載の方法によって製造される、燃料組成物。
【請求項１９】
燃料成分及び生体工学によって作られたC5イソプレノイド化合物を含む、燃料組成物。
【請求項２０】
微生物を含む混合物から3-メチル-3-ブテン-1-オールを調製すること、及び燃料に3-メチル-3-ブテン-1-オールを組み込むことによって製造される；又は
微生物を含む混合物から3-メチル-3-ブテン-1-オールを調製すること、3-メチル-3-ブテン-1-オールからイソアミルアルコールを調製すること、及び燃料にイソアミルアルコールを組み込むことによって製造される；又は
微生物を含む混合物から3-メチル-2-ブテン-1-オールを調製すること、3-メチル-2-ブテン-1-オールからイソアミルアルコールを調製すること、及び燃料にイソアミルアルコールを組み込むことによって製造される、
燃料組成物。
【請求項２１】
前記混合物が単糖を更に含み、任意に、前記単糖がグルコース、ガラクトース、マンノース、フルクトース、リボース又はこれらの組み合わせである、請求項20記載の燃料組成物。
【請求項２２】
（a）組換え宿主細胞で糖の醗酵反応を行うことよって少なくともC5アルコール又はその誘導体を含む生物燃料を得る工程であって、該組換え宿主細胞が、該C5アルコール又はその誘導体を産生する工程；及び、
（b）該生物燃料を流通させ、市場に出し、又は販売する工程、
を含む、ビジネス方法。
【請求項２３】
前記組換え宿主細胞がイソペンテニルピロホスフェート（IPP）、ジメチルアリルピロホスフェート（DMAPP）又はこれらの組み合わせのイソペンテノールへの酵素変換を増加させるように修飾されており、前記組換え宿主細胞がnudF又はyhfR遺伝子で形質転換されたpTRC 99A 大腸菌（E. Coli）株ではない、請求項22記載のビジネス方法。
【請求項２４】
前記C5アルコール又はその誘導体が、ZがOR、O-C（=O）R、0-PO（OR）2、0-SO2-OR、PO（OR）2又はSO2-ORであり；かつRがH、アルキル、シクロアルキル、アリール、アルカリル又はアラルキルである式（Ib）又は（Ic）：
【化５】
2009538373.tif 000005
を有するイソプレノイド化合物である、請求項22記載のビジネス方法。
【請求項２５】
前記生物燃料が3-メチル-3-ブテン-1-オール、3-メチル-2-ブテン-1-オール又はこれらの組み合わせを含む；又は
前記生物燃料が、前記生物燃料の総容量に基づいて、容量の少なくとも約2％の3-メチル-3-ブテン-1-オールを含む；又は
前記生物燃料が、前記生物燃料の総容量に基づいて、容量の少なくとも約2％の3-メチル-2-ブテン-1-オールを含む、
請求項22〜24のいずれか記載のビジネス方法。
【請求項２６】
前記C5アルコール又はその誘導体が、ZがOR、O-C（=O）R、0-PO（OR）2、0-SO2-OR、PO（OR）2、又はSO2-ORであり；かつRがH、アルキル、シクロアルキル、アリール、アルカリル又はアラルキルである式（Ia）：
【化６】
2009538373.tif 000006
を有するイソプレノイド化合物である、請求項22記載のビジネス方法。
【請求項２７】
前記生物燃料が3-メチル-1-ブタノールを含む、請求項22〜23及び26のいずれか記載のビジネス方法。
【請求項２８】
前記生物燃料が、前記生物燃料の総容量に基づいて、容量の少なくとも約35％の3-メチル-1-ブタノールを含む、請求項27記載のビジネス方法。
【請求項２９】
前記生物燃料が石油系燃料、燃料添加物又はこれらの組み合わせを更に含む、請求項22〜27のいずれか記載のビジネス方法。
【請求項３０】
前記石油系燃料がガソリン、ジェット燃料、灯油、ディーゼル燃料又はこれらの組み合わせである、請求項29記載のビジネス方法。
【請求項３１】
前記燃料添加物が酸素化物、抗酸化剤、熱安定性向上剤、セタン向上剤、安定剤、寒冷流動性向上剤、助燃剤、消泡剤、抗くもり添加物、腐食抑制剤、潤滑性向上剤、着氷阻害剤、噴霧器清浄添加物、煙抑制剤、抵抗減少添加物、金属不活性化剤、分散剤、洗浄剤、解乳化剤、色素、マーカー、静電気消散剤、殺生物剤及びこれらの組み合わせからなる群から選択される、請求項29記載のビジネス方法。
【請求項３２】
前記糖が単糖である、請求項22〜31のいずれか記載のビジネス方法。
【請求項３３】
前記単糖がグルコース、ガラクトース、マンノース、フルクトース、リボース又はこれらの組み合わせである、請求項32記載のビジネス方法。